(57)【要約】      （修正有）【課題】  地図画像上に実際の道路標識の設置状況を再現することで、迅速且つ効率的な道路標識の管理を行なえる道路標識管理プログラムを提供する。【解決手段】  コンピュータを、データベース１２から抽出した地図画像データ１４を画面５０上に表示する地図表示手段１０ａ、ユーザからのリクエストデータ１９に基づき、データベース１３の中から該当する道路標識画像データ１６をリストアップし、特定の道路標識画像データ１６のみを地図画像データ１４に重ねて画面５０上に表示する道路標識表示手段１０ｂ、前記道路標識画像データ１６を前記データべーに記憶されている道路標識台帳データ１７から方角指定データ２０を読み込み、実際の道路上に設置された道路標識に対し、地図画像データ１４の方位と道路標識画像データ１６の示す行き先とが同一となるように、画面５０上において回転表示する画像編集手段１０ｃ、として機能させることを特徴とする。【選択図】      図２
2005031490.tif 000002
【特許請求の範囲】
【請求項１】
コンピュータを、
地図画像データ（１４）、道路標識画像データ（１６）、道路標識台帳データ（１７）をそれぞれデータベース（１２，１３）に保存する記憶手段（２）、
前記データベース（１２）から抽出した地図画像データ（１４）を画面（５０）上に表示する地図表示手段（１０ａ）、
ユーザからのリクエストデータ（１９）に基づき、データベース（１３）の中から該当する道路標識画像データ（１６）をリストアップし、特定の道路標識画像データ（１６）のみを地図画像データ（１４）に重ねて画面（５０）上に表示する道路標識表示手段（１０ｂ）、
前記道路標識画像データ（１６）を、道路標識画像データ（１６）に対応する道路標識台帳データ（１７）から方角指定データ（２０）を読み込み、実際の道路上に設置された道路標識に対し、地図画像データ（１４）の方位と道路標識画像データ（１６）の示す行き先とが同一となるように、画面（５０）上において回転表示する画像編集手段（１０ｃ）、
として機能させることを特徴とする道路標識管理プログラム。
【発明の詳細な説明】
【技術分野】
【０００１】
本発明は、道路上に設置された道路標識の設置個所、種別、設置状況、表示内容の整合性等を確認し、これを管理するための道路標識管理プログラムに関するものである。
【背景技術】
【０００２】
道路標識の管理は該標識が属する道路毎に、国、都道府県、市町村がそれぞれ担当するものである。そして各地方公共団体では、それぞれの管轄する道路毎に１つ１つの道路標識が、標識の写真、設置年月、設置状況等を台帳に記載してあり、実際に道路管理者が現状を把握する場合には、前記台帳から該当する道路標識のページを探して、現場の状況と照らし合わせるような作業を行なっていた。
【特許文献１】特開２００２−６２１５２号（３頁目、図１）
【発明の開示】
【発明が解決しようとする課題】
【０００３】
現在、道路を取り巻く環境は、地名の変更や新規道路の造成等によって刻一刻と変化しており、これに伴って、道路状況の様々な事象を案内する道路標識においても同様に新規に設置したり、或いは差し替えを行なうものであった。しかしながら一方では、道路網に無数に存在する道路標識の中から該当するものを探し、その都度台帳を捲って調べる作業を繰り返すことは、非常に煩雑で面倒なものであったため、管理側の対応が遅れる問題点があった。また、一般市販されている電子地図アプリケーションや、或いは自動車に搭載される目的地まで経路を案内するナビゲーションシステム等では、実際の道路標識の設置状況や方角指示の整合性などが把握できず、道路標識の管理においては、ほとんど使用できないものであった。
【０００４】
本発明は上記問題を鑑みて発明したものであり、地図画像上に実際の道路標識の設置状況を再現することで、迅速且つ容易な道路標識の管理を行なえる道路標識管理プログラムを提供することにある。
【課題を解決するための手段】
【０００５】
本発明のうち請求項１記載の発明は、コンピュータを、地図画像データ、道路標識画像データ、道路標識台帳データをそれぞれデータベースに保存する記憶手段、前記データベースから抽出した地図画像データを画面上に表示する地図表示手段、ユーザからのリクエストデータに基づき、データベースの中から該当する道路標識画像データをリストアップし、特定の道路標識画像データのみを地図画像データに重ねて画面上に表示する道路標識表示手段、前記道路標識画像データを、道路標識画像データに対応する道路標識台帳データから方角指定データを読み込み、実際の道路上に設置された道路標識に対し、地図画像データの方位と道路標識画像データの示す行き先とが同一となるように、画面上において回転表示する画像編集手段、として機能させることを特徴とする。
【０００６】
地図画像データは、地図上に表示された道路・住居等の住所録データを含んだ概念である。また道路標識台帳データとは、データベースに保存された個々の道路標識画像データに関する様々な情報（標識種別、設置ポイント、道路標識画像データの表示状態を示す方角指定データなど）を記載したものである。さらに画面とは、ディスプレイ装置の画面をさす。また道路標識画像を実際の道路上に設置された道路標識に対し、地図画像上の方位と道路標識画像の示す行き先とが同一となるように表示するとは、前記道路標識画像を地図画面上において、画面上では、実際に道路上を走行するドライバーから見た状態で表示されるこという。
【０００７】
また、ユーザーが所望の地域の特定の種別の道路標識を表示するように本プログラムに対してリクエストを行なう場合には、画面上に表示された様々な項目をチェックして表示結果を導く方法や、或いは道路名や交差点名などのキーワードをテキスト入力して検索結果を導く方法等が選択される。さらに、方角指定データを読み込む場合には、道路標識台帳データにおいて登録された道路標識画像データがそのまま地図画像データ上に反映されるので、例えば、画面上からポインティングデバイスで特定の道路標識画像を指定すれば、該画面上において前記道路標識画像に該当する道路標識台帳データを抽出することもできる。
【０００８】
このように形成すると、ユーザのリクエストに基づいてリストアップされた特定の道路標識画像データが、地図画像データと重なるように画面上に表示され、しかも表示された道路標識画像データは、実際に現場に設置された道路標識と同じ地図上の方位を示すと共に、該道路標識が示す行き先についても同一となるように回転表示されるので、ユーザは、道路標識の設置状況を一目で把握できる。
【発明の効果】
【０００９】
本発明によれば、地図画像データ上の道路標識画像データが、該当する道路標識画像が実際に現場に設置されている道路標識に準じて、方位と行き先を合わせた状態で表示されているので、ユーザ側は一目で実際の現場の道路標識の設置状況を把握でき、従来のように紙資料として蓄積されている膨大な量の道路標識台帳を１枚１枚調べる手間が不要となるので、道路標識台帳の検索にかかる時間が飛躍的に短縮され、結果、道路標識の保守・管理を迅速且つ効率的に行なえる。
【発明を実施するための最良の形態】
【００１０】
次に、本発明による道路標識管理プログラムの実施形態について、各図面に基づいて、このプログラムを稼働するための処理装置の構成と組み合わせて説明する。
【００１１】
まず、本発明の道路標識管理プログラムを稼働するための処理装置１の構成を以下に説明する。具体的に本処理装置１は、図１のように、
（１）地図画像データ１４、住所録データ１５、道路標識台帳データ１６、そして道路標識画像データ１６等を各データベース１２，１３に格納し、さらに、当該各データベース１２，１３に格納された様々なデータのうち、ユーザーのリクエスト１９に基づく該当データを処理して編集データ１８を形成するためのデータ合成モジュール１０ａ，１０ｂ，１０ｃ、前記各データベース１２，１３へのデータ読み込みモジュール１１を保管する記憶装置２、
（２）各データベース１２，１３に保存された地図画像データ１４と住所録データ１５、及び道路標識画像データ１６から入力されたリクエスト１９に基づいて編集データ１８を作り、さらに、前記各モジュール１０ａ，１０ｂ，１０ｃ，１１を稼働して当該編集データ１８の処理を行なうためのCPU３、
（３）処理装置１に各種データを入出力するための各種インターフェース（例えばモデム装置、LANポート、USBポート等）４、
（４）前記インターフェース４と接続して、編集データ１８をユーザインターフェース画面（以下、画面と記す。）５０として表示するディスプレイ装置、及び画面５０の１画面を印刷紙にプリントアウトするためのプリンタを含んだ出力装置５、
（５）マウス或いはキーボード等のポインティング機器からなる入力装置６、の以上、（１）〜（５）の各装置によって構成されている。
尚、符号７は各種データの読み込みを行なうためのROM、符号8は各種データにアクセスするためのRAM、符号９は、CD-ROMやMOなどの外部記憶メディアを読み込むため装置である。
【００１２】
次に記憶装置２に格納された各モジュール１０ａ，１０ｂ，１０ｃ，１１、さらに地図関連データベース１２と道路標識関連データベース１３について、図２に基づいて説明する。
【００１３】
まず地図関連データベース１２は、地図画像データ１４や、住居や道路の現存地情報（例えば、富山県高岡市中川○丁目×番地等）を記す住所録データ１５を格納するものである。また、地図関連データベース１２の更新、新規情報登録については、ユーザが自主的に登録することもできるが、一般的には、ソフトハウスなどから最新版の地図画像データ１４・住所録データ１５を格納したCD-ROM等の記憶媒体を配布してもらうか、或いは、インターネット網を介して前記各データ１４，１５をネットワーク配信して書き換える方法が選択される。次に道路標識関連データベース１３は、道路標識画像データ１６・道路標識台帳データ１７をぞれぞれ格納している。
【００１４】
そして、データ合成モジュール１０ａ，１０ｂ，１０ｃは図３のフローチャートに示すように、前述の各データベース１２，１３に格納された地図画像データ１４・住所録データ１５、道路標識画像データ１６・道路標識台帳データ１７を、後述する「道路標識表示の条件設定」画面３０においてユーザからのリクエストデータ１９に基づいて抽出し、リクエストの条件（道路名及び交差点名、道路標識種別、設置年月日等）に該当する地図画像データ１４と道路標識画像データ１６を絞り込んだ後に、地図画像データ１４と道路標識画像データ１６にそれぞれ割り振られた住所録データ１５同士を照合し、各住所録データ１５，１５が一致したもののみを地図画像データ１４上に道路標識画像データ１６を重ねて表示する処理を行なえる編集データ１８を生成する。
【００１５】
次に図４乃至図７は、本道路標識管理プログラムを実際に稼動した際の具体的な処理手順を表したものである。また本処理手順の説明は、前述の処理装置１において、ユーザから入力されたリクエストデータ１９に基づき、実際に各データ１４，１５，１６の処理が行われた後に、画面５０上に表示された編集データ１８を示したものである。
【００１６】
まず図４は、ユーザから入力されたリクエストデータ１９に該当する道路標識画像１６を地図画像１４上に表示する場合、そのリクエスト条件を設定するための「標識画像の表示条件」画面３０を示すものである。この画面３０上では、実際の道路標識の設置状況を表す＜設置区分＞３１、道路を管理する＜管轄事務所＞３２、＜標識種別＞３３、＜標識所有者＞３４、＜路線＞３５、＜設置年月日＞３６、＜設置方法＞３７などの各項目において、ユーザ側が各チェックボックス３８をONしたものについて、地図画像１４上に表示する道路標識画像データ１６を抽出する手順をとる。そして実際にユーザが、各項目の中から該当するチェックボックスをONにし、＜表示条件を適用する＞ボタン３９をポインティングデバイスで指定する。そうすることで、道路標識関連データベース１３から該当する道路標識画像データ１６が抽出され、図５と図６のように、画面５０において、地図画像１４上の住所録データ１５となる該当座標ポイントに道路標識画像１６が表示される。
【００１７】
そして、前記図５と図６を表示する編集データ１８の構成を説明すると、この編集データ１８は、道路標識画像データ１６に対して住所録データ１５に基づく座標データ（例えばｘ，ｙで示される）を割り振り、あらかじめ地図画像データ１４上の住所録データ１５の１つ１つに割り振られた座標データと照合し、地図画像データ１４・道路標識画像データ１６の２つの画像データ１４，１６を重ねて合成するデータ処理を行なうものである。さらに編集データ１８の生成時には、道路標識画像データ１６の地図画像１４上における表示方向を指示するための方角指定データ２０が生成される。
【００１８】
そして、前記方角指定データ２０の形成は、図７で後述するが、「道路標識台帳記載」画面４０において、道路標識関連データベース１３から読み込んだ道路標識画像データ１６をデータ加工処理できる項目があり、ここで道路標識画像１６を平面的に回転させて、実際に現場に設置されている道路標識の表示方向に合わせた後に、このデータ加工処理がなされた道路標識画像データ１６を再び道路標識関連データベース１３に登録することで、前記方角指定データ２０を該当する道路標識画像データ１６に割り振ることとなる。
【００１９】
また図５と図６において、メイン画面５０右側のベゼル２１を上げ下げすることで、地図画像１４の拡大縮小表示が調整できる。また地図画像１４を広域表示にした場合には、数多くの道路標識画像１６が画面５０上に表示されることが想定されるので、画面５０右側の切替ボタン２２によって各道路標識画像１６の表示状態を、整理番号のみを表示するピン（図５では整理番号（例：H-73-108-4等）として図示）１６ｂに適宜変更できる。
尚、符号２３は本プログラムの終了ボタンである。
【００２０】
そして図６は、図５の地図画像１４を画面５０横のベゼル２１を調整して拡大表示したものであり、この図では、交差点の周囲に定められた方向に表示された道路標識画像１６が配置されている。この場合に各道路標識画像１６は、画面５０上で＜表記地名＞、＜行き先を示す方角＞の整合性がとれていることがすぐに確認できる。さらに、各道路標識画像１６にポインティングディバイスを合わせて指定すると、該当する道路標識画像１６の「道路標識台帳」画面４０にジャンプし、この画面４０が別ウィンドウで表示される（図７参照）。
【００２１】
さらに図７に示す「道路標識台帳」画面４０では、前述したような実際に設置されている道路標識に関する各種情報の参照を行なう他に、当該各情報の更新・新規登録も可能である。例えば、個々の道路標識画像データ１６及び道路標識台帳データ１７に割り振られた処理装置１側が認識する＜整理番号＞４１の変更は勿論のこと、該当道路標識の管理＜事務所名＞４２、＜路線名称＞４３、＜設置区分＞４４、＜標識番号＞４５、＜設置年月日＞４６、＜施工業者＞４７、＜現況写真＞４８等の様々な情報を変更した後、画面４０右側の＜登録＞ボタン４９を指定することで、前記＜整理番号＞４１と同一名称の道路標識台帳データ１７が存在するのなら上書きし、反対に存在しない場合には、新規登録データとして道路標識関連データベース１３に保存する。
【００２２】
また、「前記道路標識台帳」画面４０には、＜現況写真・板面記載事項＞という項目があり、この項目では、現況写真として新たに道路標識画像データ１６を読み込むことができる。さらに、読み込まれた新規の道路標識画像データ１６は、＜表示標識編集＞２０という項目において、該画像を自在に回転表示して加工できる。そして、実際の現場に設置された道路標識と一致する方向に道路標識画像データ１６をデータ加工処理した後、前記＜登録＞ボタン４９をポインティングディバイスを合わせて指定することで、地図画像１４上に表示される道路標識画像１６もデータ加工処理後のそのままの表示状態で反映される。
尚、画面４０中の＜削除＞ボタンは、表示中の道路標識台帳データ１７を消去するものである。
【００２３】
また、前記＜設置区分＞項目は図８のように、実際の道路標識についてのチェックリスト機能６１が具備されており、このチェックリスト６１を表示する画面６０では、該当する道路標識台帳データ１７について、該道路標識の属性（標識種別、設置年月日等）以外の具体的な設置状況を所定の項目毎に詳細に示している。そしてチェックリスト機能６１は、道路標識の設置状況の善し悪しを判別する○・×表記の他にも、事細かな道路標識の設置状況を確認できるように、チェックリストの各項目の記載内容を変更する編集機能も具備されている。
【００２４】
また本プログラムでは、道路標識に関する様々な条件を挙げ、これを集計して関連データリストを作成する機能を具備している（図示省略）。この場合、ユーザーが各々設定した項目に該当する集計項目（管理者名、標識種別、道路標識の状況等）で行なえ、道路標識関連データベース１３に登録された全ての道路標識台帳データ１７を対象として、様々な項目から実際に現場に設置された道路標識に関する情報が得られ、さらに、集計されたデータリストはプリンタで紙出力したり、或いは、処理装置１からインターフェース（LAN、モデム装置等）４を介してインターネット網Ｗを利用して他の端末に送信すれば、道路標識の管理資料として有効に利用できる。
【００２５】
また、本道路標識管理プログラムは、インターネット網Ｗを介して複数の端末７１から共同で使用できる。この場合には図９のように、所定の場所に管理サーバ７０を設置して、該管理サーバ７０の記憶装置に道路標識関連データベース１３を格納し、一方、本プログラムをインストールした各端末（例えば、各管理事務所の担当者等）７１の記憶装置には、地図関連データベース１２を格納しておくことで、例えば、道路の管轄の異なる各土木事務所の担当者が、実際に現場に赴いて調査した道路標識の設置状況を、自身の端末７１から管理サーバ７０にアクセスして道路標識台帳データ１７に入力・登録し、前記道路標識関連データベース１３を更新することで、他の担当者がインターネット網Ｗを介して管理サーバ７０にアクセスした際には、更新後の道路標識台帳データ１７を閲覧でき、結果、より広範囲で且つ詳細な道路標識の管理体制を敷ける。
【図面の簡単な説明】
【００２６】
【図１】本発明の道路標識管理プログラムを稼動する処理装置を示す説明図である。
【図２】記憶装置の詳細を示す説明図である。
【図３】データ合成モジュールの編集手順を説明するフローチャートである。
【図４】本発明の道路標識管理プログラムの稼動による「標識画像の表示条件設定」画面を示す説明図である。
【図５】本発明の道路標識管理プログラムの稼動による画面表示の一例を示す説明図である。
【図６】同じく、本発明の道路標識管理プログラムの稼動による画面表示の一例を示す説明図である。
【図７】本発明の道路標識管理プログラムの稼動による「道路標識台帳の登録・更新・参照」画面を示す説明図である。
【図８】本発明の道路標識管理プログラムの稼動による「道路標識のチェックポイント」画面を示す説明図である。
【図９】本発明の道路標識管理プログラムをインターネット網を介してネットワーク使用した実施形態を示す説明図である。
【符号の説明】
【００２７】
１  処理装置（コンピュータ）
２  記憶装置（記憶手段）
１０ａ，１０ｂ，１０ｃ  データ合成モジュール（地図表示手段、道路標識表示手段、画像編集手段）
１２，１３  地図関連データベース、道路標識関連データベース  （データベース）
１４  地図画像データ、地図画像
１５  住所録データ
１６  道路標識画像データ、道路標識画像
１７  道路標識台帳データ
１９  リクエストデータ、リクエスト
２０  表示標識編集（方角指定データ）
５０  画面
【図１】
2005031490.tif 000003
【図２】
2005031490.tif 000004
【図３】
2005031490.tif 000005
【図９】
2005031490.tif 000006
【図４】
2005031490.tif 000007
【図５】
2005031490.tif 000008
【図６】
2005031490.tif 000009
【図７】
2005031490.tif 000010
【図８】
2005031490.tif 000011